(57)【要約】【課題】入力されるリモートコントロールスルーアウト信号を正確にデコードすることができ、受信機器の操作を正確に行うことができるようにすることを目的とする。【解決手段】リモートコントロール信号スルーアウト装置において、入力されるリモートコントロール信号の立ち上がりエッジ、または立ち下がりエッジのどちらか一方を検出し、リモートコントロール信号が入力されることによりリモートコントロールスルーアウト信号をアクティブにし、リモートコントロールスルーアウト信号をアクティブにすると同時にリモートコントロールスルーアウト信号を非アクティブにする時間の計測を開始して、あらかじめ設定された時間になるとリモートコントロールスルーアウト信号を非アクティブにするように構成した。【選択図】図１
2006310917.tif 000002
【特許請求の範囲】
【請求項１】
リモートコントロール信号が入力されるリモートコントロール信号入力部と、出力するリモートコントロールスルーアウト信号を非アクティブにする非アクティブ制御部と、前記リモートコントロール信号入力部と前記非アクティブ制御部との出力情報からリモートコントロールスルーアウト信号のアクティブ及び非アクティブを切換えてリモートコントロールスルーアウト信号を出力するリモートコントロール信号生成部とを有するリモートコントロール信号スルーアウト装置を備え、入力されるリモートコントロール信号の立ち上がりエッジ、または立ち下がりエッジのどちらか一方を検出し、前記リモートコントロール信号生成部は、リモートコントロール信号がリモートコントロール信号生成部に入力されることによりリモートコントロール信号生成部から出力されるリモートコントロールスルーアウト信号をアクティブにし、前記非アクティブ制御部は、リモートコントロールスルーアウト信号をアクティブにすると同時にリモートコントロールスルーアウト信号を非アクティブにする時間の計測を開始して、あらかじめ設定された時間になるとリモートコントロールスルーアウト信号を非アクティブにするように構成したリモートコントロール装置。
【請求項２】
非アクティブ制御部は、リモートコントロール信号入力部より入力されるリモートコントロール信号の立ち上がりエッジの間隔、もしくは立ち下がりエッジの間隔に応じて、リモートコントロールスルーアウト信号を非アクティブにする時間を可変可能に構成した請求項１に記載のリモートコントロール装置。
【発明の詳細な説明】
【技術分野】
【０００１】
本発明はリモートコントロール信号を受信し、再度その受信したリモートコントロール信号を外部に出力するリモートコントロール信号スルーアウト装置を備えたリモートコントロール装置に関するものである。
【背景技術】
【０００２】
リモートコントロール装置において、リモートコントロール信号を受信し、再度その受信したリモートコントロール信号を外部に出力するリモートコントロール信号スルーアウト装置が設けられているが、このリモートコントロール信号スルーアウト装置として、従来から種々の方法が考えられている。
【０００３】
以下、リモートコントロール信号スルーアウト装置について、具体的な先行技術文献は見当たらないが、従来から知られている装置の一例を図３、図４を用いて説明する。図３は、リモートコントロール信号スルーアウト装置の一例を示すブロック図である。図３において、２００は従来のリモートコントロール信号スルーアウト装置である。２０１はリモートコントロール信号スルーアウト装置２００のリモートコントロール信号入力端子であり、赤外線によるリモートコントロール信号Ｓ２０１が入力される。２０２はリモートコントロール信号スルーアウト装置２００のリモートコントロールスルーアウト出力端子であり、リモートコントロールスルーアウト信号Ｓ２０４を外部へ出力する。
【０００４】
２０３はリモートコントロール信号受光部であり、赤外線によるリモートコントロール信号Ｓ２０１を入力し、リモートコントロール信号に重畳されたキャリア信号を除去したリモートコントロール信号Ｓ２０３を出力する。
【０００５】
２０４はキャリア信号重畳部であり、リモートコントロール信号Ｓ２０３に所定のキャリア信号を重畳したリモートコントロールスルーアウト信号Ｓ２０４を再出力する。
【０００６】
以上のように構成された図３のリモートコントロール信号スルーアウト装置の動作について、図４を用いて説明する。図４に示す各符号は、図３に示す符号に対応している。
【０００７】
まず時刻Ｔ０は初期状態であり、各々の信号は非アクティブに設定されている。以下、アクティブをＨ、非アクティブをＬとして説明する。
【０００８】
時刻Ｔ１から時刻Ｔ２までがリモートコントロール信号の先頭を規定したリーダ信号のＨ期間、時刻Ｔ２から時刻Ｔ３までがリモートコントロール信号の先頭を規定したリーダ信号のＬ期間、時刻Ｔ３から時刻Ｔ４までがリモートコントロール信号のデータ０を規定したＨ期間、時刻Ｔ４から時刻Ｔ５までがリモートコントロール信号のデータ０を規定したＬ期間、時刻Ｔ５から時刻Ｔ６がリモートコントロール信号のデータ１を規定したＨ期間、時刻Ｔ６から時刻Ｔ７がリモートコントロール信号のデータ１を規定したＬ期間とする。
【０００９】
前記Ｔ０からＴ７までの赤外線リモートコントロール信号がリモートコントロール信号入力端子２０１に入力されると、リモートコントロール信号受光部２０３はキャリア信号を除去したリモートコントロール信号Ｓ２０３を出力する。リモートコントロール信号受光部２０３より出力されたリモートコントロール信号Ｓ２０３のＬ期間とＨ期間のデューティを示すＴ２’、Ｔ４’、Ｔ６’は、入力されたリモートコントロール信号Ｓ２０１と異なった期間となっている。
【００１０】
次に、キャリア信号重畳部２０４はリモートコントロール信号Ｓ２０３に所定のキャリア信号を重畳し、リモートコントロールスルーアウト信号Ｓ２０４を出力する。このリモートコントロールスルーアウト信号Ｓ２０４においてもＬ期間とＨ期間のデューティは、リモートコントロール信号受光部２０３より出力されるリモートコントロール信号Ｓ２０３と同タイミングのＴ２’、Ｔ４’、Ｔ６’となり、入力された赤外線リモートコントロール信号Ｓ２０１と異なった期間となっている。
【発明の開示】
【発明が解決しようとする課題】
【００１１】
上記従来の構成では、リモートコントロール信号スルーアウト装置から出力されるリモートコントロールスルーアウト信号のＨ期間とＬ期間を示すデューティがリモートコントロール信号スルーアウト装置に入力される赤外線リモートコントロール信号のデューティと異なっている。このリモートコントロールスルーアウト信号を受信機で受信すると、受信機側に設けられたリモートコントロール信号ノイズフィルターにて、リモートコントロールスルーアウト信号がノイズとして除去されたり、またはリモートコントロール信号のデューティチェック機能により誤信号と判断され、解読できないという問題を有していた。
【００１２】
本発明はこのような課題を解決するもので、入力されるリモートコントロールスルーアウト信号を正確にデコードすることができ、受信機器の操作を正確に行うことができるようにすることを目的とする。
【課題を解決するための手段】
【００１３】
上記課題を解決するために、本発明の請求項１記載の発明は、リモートコントロール信号が入力されるリモートコントロール信号入力部と、出力するリモートコントロールスルーアウト信号を非アクティブにする非アクティブ制御部と、前記リモートコントロール信号入力部と前記非アクティブ制御部との出力情報からリモートコントロールスルーアウト信号のアクティブ及び非アクティブを切換えてリモートコントロールスルーアウト信号を出力するリモートコントロール信号生成部とを有するリモートコントロール信号スルーアウト装置を備え、入力されるリモートコントロール信号の立ち上がりエッジ、または立ち下がりエッジのどちらか一方を検出し、前記リモートコントロール信号生成部は、リモートコントロール信号がリモートコントロール信号生成部に入力されることによりリモートコントロール信号生成部から出力されるリモートコントロールスルーアウト信号をアクティブにし、前記非アクティブ制御部は、リモートコントロールスルーアウト信号をアクティブにすると同時にリモートコントロールスルーアウト信号を非アクティブにする時間の計測を開始して、あらかじめ設定された時間になるとリモートコントロールスルーアウト信号を非アクティブにするように構成したものであり、受信したリモートコントロール信号のデューティに関わらず規定したデューティにてリモートコントロールスルーアウト信号を出力できる。
【００１４】
また、本発明の請求項２記載の発明は、非アクティブ制御部は、リモートコントロール信号入力部より入力されるリモートコントロール信号の立ち上がりエッジの間隔、もしくは立ち下がりエッジの間隔に応じて、リモートコントロールスルーアウト信号を非アクティブにする時間を可変可能に構成したものであり、リモートコントロール信号の先頭を規定したリーダ期間のデューティ、及びリモートコントロール信号のデータを規定したデータ期間のデューティを区別して出力することができる。
【発明の効果】
【００１５】
本発明によれば、規定したＨ期間とＬ期間のデューティにてリモートコントロール信号のリモートコントロールスルーアウト信号を出力することができ、これにより受信機側において、入力されるリモートコントロールスルーアウト信号を正確にデコードすることができ、受信機器の操作を正確に行うことができる。
【発明を実施するための最良の形態】
【００１６】
以下、本発明の一実施の形態について、図１、図２を用いて説明する。
【００１７】
図１は、本発明の一実施の形態によるリモートコントロール装置において、リモートコントロール信号スルーアウト装置のブロック図である。図１において、１００は本発明のリモートコントロール信号スルーアウト装置である。
【００１８】
１０１はリモートコントロール信号入力端子であり、赤外線リモートコントロール信号Ｓ１０１を入力する。１１１はリモートコントロールスルーアウト信号出力端子であり、リモートコントロールスルーアウト信号Ｓ１１０を外部へ出力する。
【００１９】
１０２はリモートコントロール信号入力部としてのリモートコントロール信号受光部であり、赤外線リモートコントロール信号Ｓ１０１を入力し、リモートコントロール信号に重畳されたキャリア信号を除去したリモートコントロール信号Ｓ１０２を出力する。
【００２０】
１０３はエッジ検出部であり、リモートコントロール信号Ｓ１０２を入力し、リモートコントロール信号Ｓ１０２の立ち上がりエッジ、または立ち下がりエッジのどちらか一方のエッジを検出すると、一定期間のみアクティブとなり、その後非アクティブとなるエッジ検出信号Ｓ１０３を出力する。
【００２１】
１０４はエッジ間隔カウント部であり、エッジ検出信号Ｓ１０３が入力され、エッジ検出信号Ｓ１０３がアクティブになると、カウンター値をリセットして、０からカウントを開始し、そのカウンター値Ｓ１０４を常時出力する。
【００２２】
１０５はリーダ信号間隔検出部であり、エッジ検出信号Ｓ１０３、カウンター値Ｓ１０４が入力され、エッジ検出信号Ｓ１０３がアクティブになる毎に、カウンター値Ｓ１０４と、リモートコントロール信号の先頭を規定した期間の間隔が等しいかどうかを比較し、等しい場合にはアクティブ、等しくない場合には非アクティブとなるリーダ検出信号Ｓ１０５を出力する。１０６はデータ信号間隔検出部であり、エッジ検出信号Ｓ１０３、カウンター値Ｓ１０４が入力され、エッジ検出信号Ｓ１０３がアクティブになる毎に、カウンター値Ｓ１０４とリモートコントロール信号のデータ０またはデータ１を規定した期間の間隔が等しいかどうかを比較し、等しい場合にはアクティブ、等しくない場合には非アクティブとなるデータ検出信号Ｓ１０６を出力する。
【００２３】
１０７は比較時間選択部であり、エッジ検出信号Ｓ１０３、リーダ検出信号Ｓ１０５、データ検出信号Ｓ１０６が入力され、リーダ検出信号Ｓ１０５とデータ検出信号Ｓ１０６をエッジ検出信号Ｓ１０３がアクティブになる毎にチェックし、リーダ検出信号Ｓ１０５がアクティブになったことを検出した時、もしくはリーダ検出信号Ｓ１０５のアクティブを検出した後のエッジ信号Ｓ１０３がアクティブになる毎に、データ検出信号Ｓ１０６がアクティブの場合は、「比較時間１」の比較時間信号Ｓ１０７を出力し、エッジ検出信号Ｓ１０３のアクティブ信号受信時の検出情報がそれ以外の場合は、「比較時間２」の比較時間信号Ｓ１０７を出力する。
【００２４】
１０８は時間一致検出部であり、カウンター値Ｓ１０４、比較時間信号Ｓ１０７が入力され、カウンター値Ｓ１０４と比較時間信号Ｓ１０７を比較し、その値が等しい場合は一定期間のみアクティブとなり、その後非アクティブとなる時間一致信号Ｓ１０８を出力する。これらのリーダ信号間隔検出部１０５、データ信号間隔検出部１０６、比較時間選択部１０７、時間一致検出部１０８により非アクティブ制御部が構成されている。この非アクティブ制御部において、リモートコントロール信号受光部１０２より入力されるリモートコントロール信号の立ち上がりエッジの間隔、もしくは立ち下がりエッジの間隔に応じて、リモートコントロールスルーアウト信号を非アクティブにする時間を可変可能に構成することにより、リモートコントロール信号の先頭を規定したリーダ期間のデューティ、及びリモートコントロール信号のデータを規定したデータ期間のデューティを区別して出力することができる。
【００２５】
１０９はリモートコントロール信号生成部としてのリモートコントロール波形出力部であり、エッジ検出信号Ｓ１０３、時間一致信号Ｓ１０８を入力し、エッジ検出信号Ｓ１０３がアクティブになる毎にアクティブとなり、時間一致信号Ｓ１０８がアクティブとなる毎に非アクティブとなるリモートコントロール生成信号Ｓ１０９を出力する。
【００２６】
１１０はキャリア重畳部であり、リモートコントロール生成信号Ｓ１０９を入力して、所定のキャリア信号を重畳し、リモートコントロールスルーアウト信号Ｓ１１０を出力する。
【００２７】
以上のように構成された図１のリモートコントロール信号スルーアウト装置の動作について、図２を用いて説明する。図２に示す各符号は、図１において示す同符号のものに対応している。
【００２８】
まず時刻Ｔ０は初期状態であり、各々の信号は非アクティブに設定されている。以下、アクティブをＨ、非アクティブをＬとして説明する。
【００２９】
時刻Ｔ１から時刻Ｔ２までがリモートコントロールの先頭を規定したリーダ信号のＨ期間、時刻Ｔ２から時刻Ｔ３までがリモートコントロールの先頭を規定したリーダ信号のＬ期間、時刻Ｔ３から時刻Ｔ４までがリモートコントロールのデータ０を規定したＨ期間、時刻Ｔ４から時刻Ｔ５までがリモートコントロールのデータ０を規定したＬ期間、時刻Ｔ５から時刻Ｔ６がリモートコントロールのデータ１を規定したＨ期間、時刻Ｔ６から時刻Ｔ７がリモートコントロールのデータ１を規定したＬ期間とする。
【００３０】
Ｔ０からＴ７までの赤外線リモートコントロール信号Ｓ１０１がリモートコントロール信号入力端子１０１に入力されると、リモートコントロール信号受光部１０２はキャリア信号を除去したリモートコントロール信号Ｓ１０２を出力する。出力されたリモートコントロール信号Ｓ１０２の立ち上がりエッジＴ１、Ｔ３、Ｔ５、Ｔ７は赤外線リモートコントロール信号Ｓ１０１と同タイミングとなるが、立ち下がりエッジＴ２’、Ｔ４’、Ｔ６’は赤外線リモートコントロール信号Ｓ１０１よりも短い期間となる。つまり入力された赤外線リモートコントロール信号Ｓ１０１に対し、リモートコントロール信号Ｓ１０２はＨ期間とＬ期間のデューティが異なったものとなる。
【００３１】
エッジ検出部１０３はリモートコントロール信号Ｓ１０２が入力されると、その立ち上がりエッジを検出し、Ｔ１、Ｔ３、Ｔ５、Ｔ７のタイミングでエッジ検出信号Ｓ１０３を出力する。エッジ間隔カウント部１０４は、エッジ検出信号Ｓ１０３の立ち上がりエッジＴ１、Ｔ３、Ｔ５、Ｔ７のタイミングでカウント値を０にクリアし、カウントを開始、そのカウント値Ｓ１０４を常時出力する。
【００３２】
リーダ信号間隔検出部１０５は、エッジ検出信号Ｓ１０３の立ち上がりエッジＴ１、Ｔ３、Ｔ５、Ｔ７のタイミングでカウント値Ｓ１０４とリモートコントロール信号の先頭を規定した期間を比較し、それが等しいＴ３のタイミングでＨとなり、それ以外のＴ１、Ｔ５、Ｔ７のタイミングではＬとなるリーダ検出信号Ｓ１０５を出力する。同様にデータ信号間隔検出部１０６は、エッジ検出信号Ｓ１０３の立ち上がりエッジＴ１、Ｔ３、Ｔ５、Ｔ７のタイミングでカウント値Ｓ１０４とリモートコントロール信号のデータ０及びデータ１を規定した期間を比較し、それが等しいＴ５とＴ７のタイミングでＨとなり、それ以外のＴ１、Ｔ３のタイミングではＬとなるデータ検出信号Ｓ１０６を出力する。
【００３３】
比較時間選択部１０７はエッジ検出信号Ｓ１０３の立ち上がりエッジＴ１、Ｔ３、Ｔ５、Ｔ７のタイミングで、リーダ検出信号Ｓ１０５とデータ検出信号Ｓ１０６をチェックし、リーダ検出信号Ｓ１０５がＨになったことを検出したタイミング、もしくはリーダ検出信号Ｓ１０５のＨを検出した後のエッジ検出信号Ｓ１０３の立ち上がり毎に、データ検出信号Ｓ１０６がＨの場合はリモートコントロール信号のデータ０及びデータ１のＨ期間を規定した「比較時間１」の比較時間信号Ｓ１０７を出力し、エッジ検出信号Ｓ１０３の立ち上がりエッジ検出時の情報がそれ以外の場合はリモートコントロールの先頭を示すリーダ信号のＨ期間を規定した「比較時間２」の比較時間信号Ｓ１０７を出力する。つまりリーダ検出信号がＨとなるＴ３のタイミングで「比較時間１」の比較時間信号Ｓ１０７を出力し、その後のＴ５、Ｔ７のタイミングでもデータ検出信号がＨとなっているので、引き続き「比較時間１」の比較時間信号Ｓ１０７を出力し、それ以外のＴ１のタイミングでは「比較時間２」の比較時間信号Ｓ１０７を出力することとなる。
【００３４】
時間一致検出部１０８は、比較時間信号Ｓ１０７とカウント値Ｓ１０４を常時比較し、その値が等しくなったＴ２、Ｔ４、Ｔ６の各タイミングから一定期間Ｈとなる時間一致信号Ｓ１０８を出力する。リモートコントロール波形出力部１０９は、エッジ検出信号Ｓ１０３の立ち上がりエッジＴ１、Ｔ３、Ｔ５、Ｔ７のタイミングでＨとなり、時間一致信号Ｓ１０８の立ち上がりエッジＴ２、Ｔ４、Ｔ６のタイミングでＬとなるリモートコントロール生成信号Ｓ１０９を出力する。
【００３５】
キャリア重畳部１１０は、リモートコントロール生成信号Ｓ１０９に所定のキャリア信号を重畳し、リモートコントロールスルーアウト信号Ｓ１１０をスルーアウト出力端子１１１から出力する。
【００３６】
以上のように本実施の形態によれば、規定したＨ期間とＬ期間のデューティにてリモートコントロールスルーアウト信号を出力することができる。
【産業上の利用可能性】
【００３７】
以上のように本発明によれば、受信機側において、入力されるリモートコントロールスルーアウト信号を正確にデコードすることができ、受信機器の操作を正確に行う上で有用な発明である。
【図面の簡単な説明】
【００３８】
【図１】本発明の一実施の形態によるリモートコントロール装置において、リモートコントロール信号スルーアウト装置のブロック図
【図２】同リモートコントロール信号スルーアウト装置の動作タイミング図
【図３】従来のリモートコントロール信号スルーアウト装置のブロック図
【図４】従来のリモートコントロール信号スルーアウト装置の動作タイミング図
【符号の説明】
【００３９】
１００  リモートコントロール信号スルーアウト装置
１０１  リモートコントロール信号入力端子
１０２  リモートコントロール信号受光部
１０３  エッジ検出部
１０４  エッジ間隔カウント部
１０５  リーダ信号間隔検出部
１０６  データ信号間隔検出部
１０７  比較時間選択部
１０８  時間一致検出部
１０９  リモートコントロール波形出力部
１１０  キャリア重畳部
１１１  リモートコントロールスルーアウト信号出力端子
【図１】
2006310917.tif 000003
【図２】
2006310917.tif 000004
【図３】
2006310917.tif 000005
【図４】
2006310917.tif 000006